(57)【特許請求の範囲】
【請求項１】
衣類を攪拌する回転ドラムと、前記回転ドラム内へ温風を送る送風手段と、前記回転ドラム内への送風経路に設けた第１の加熱手段と、前記回転ドラムまたは送風手段を回転駆動するモータと、前記回転ドラム内に少なくとも抗菌性、抗黴性、防臭性、防虫性のいずれか１種の性状を有する薬剤を気化供給する薬剤供給手段と、前記薬剤供給手段を加熱する第２の加熱手段と、前記薬剤を気化供給する運転を設定可能な入力設定手段と、前記モータ、第１の加熱手段、第２の加熱手段の動作を制御する制御手段とを備え、前記制御手段は、前記入力設定手段により、乾燥のみ、薬剤気化のみ、乾燥＋薬剤気化のいづれかの運転を行うようにし、前記乾燥＋薬剤気化運転の乾燥行程中の前記第１の加熱手段の加熱量を前記乾燥のみの乾燥行程の場合よりも低く制御するようにした衣類乾燥機。
【請求項２】
衣類を攪拌する回転ドラムと、前記回転ドラム内へ温風を送る送風手段と、前記回転ドラム内への送風経路に設けた第１の加熱手段と、前記回転ドラムまたは送風手段を回転駆動するモータと、前記回転ドラム内に少なくとも抗菌性、抗黴性、防臭性、防虫性のいずれか１種の性状を有する薬剤を気化供給する薬剤供給手段と、前記薬剤供給手段を加熱する第２の加熱手段と、前記薬剤を気化供給する運転を設定可能な入力設定手段と、回転ドラム内の温度を検知する温度検知手段と、前記モータ、第１の加熱手段、第２の加熱手段の動作を制御する制御手段とを備え、前記制御手段は、前記入力設定手段により、乾燥のみ、薬剤気化のみ、乾燥＋薬剤気化のいづれかの運転を行うようにし、前記温度検知手段より入力した温度が設定温度以上になると前記第１の加熱手段の加熱量を減少させるように制御し、前記乾燥＋薬剤気化運転の乾燥行程中の前記設定温度を前記乾燥のみの乾燥行程の場合よりも低くするようにした衣類乾燥機。
【請求項３】
衣類を攪拌する回転ドラムと、前記回転ドラム内へ温風を送る送風手段と、前記回転ドラム内への送風経路に設けた第１の加熱手段と、前記回転ドラムまたは送風手段を回転駆動するモータと、前記回転ドラム内に少なくとも抗菌性、抗黴性、防臭性、防虫性のいずれか１種の性状を有する薬剤を気化供給する薬剤供給手段と、前記薬剤供給手段を加熱する第２の加熱手段と、前記薬剤を気化供給する運転を設定可能な入力設定手段と、回転ドラムの回転数または回転周期を検知する回転検知手段と、前記モータ、第１の加熱手段、第２の加熱手段の動作を制御する制御手段とを備え、前記制御手段は、前記入力設定手段により、乾燥のみ、薬剤気化のみ、乾燥＋薬剤気化のいづれかの運転を行うようにし、前記回転検知手段より回転数または回転周期データを入力し、前記乾燥＋薬剤気化運転の乾燥行程中の前記回転ドラムの回転数または回転周期を前記乾燥のみの乾燥行程の場合よりも低く制御するようにした衣類乾燥機。
【発明の詳細な説明】
【０００１】
【産業上の利用分野】
本発明は、回転ドラムに温風を供給して衣類を乾燥させるとともに、少なくとも抗菌性、抗黴性、防臭性、防虫性のいずれか１種の性状を有する薬剤を揮発拡散させて衣類に抗菌、抗黴、防臭、防虫処理ができる衣類乾燥機に関するものである。
【０００２】
【従来の技術】
従来、衣類乾燥機は、回転ドラム内に衣類を入れ、衣類を転動撹拌しながら温風を衣類内に通すことによって、洗濯などによって湿った衣類を乾燥するように構成している。
【０００３】
近年、このような衣類乾燥機において、殺菌および殺ダニ機能を有するものがある。これは乾燥行程における恒率乾燥時に衣類を所定の温度以上に維持することによる湿熱乾燥によって殺菌および殺ダニ効果を発揮するものである。
【０００４】
一方、抗菌、抗黴、抗ダニ作用を有する薬剤を吸着処理した衣類が市販されている。この抗菌処理衣類はその購入前に抗菌剤によって処理されているものであり、洗濯を繰り返すとその機械力によって抗菌剤が洗い落とされ、抗菌効果が徐々に低下するものが多く、選択方法として手洗い表示となっている。さらに市販の抗菌処理衣料は、シミ状の汚れが付着しても、漂白剤が抗菌剤を分解するために漂白は禁止事項となっている。
【０００５】
中でも抗菌性を有する天然系植物油を利用した抗菌処理衣料では、天然系植物油が気化することでその抗菌作用を発揮するものであるから、衣類上の天然系植物油は徐々に少なくなる。このことから明らかなように、初期性能を長期的に維持することはきわめて困難である。このため大変高価なものとなるが、抗菌剤をマイクロカプセル化し、着用時に摩擦などによる物理作用によってマイクロカプセルが徐々に壊れ、気化する構成としている。
【０００６】
【発明が解決しようとする課題】
従来の殺菌および殺ダニ効果がある衣類乾燥機では、衣類は衛生的に乾燥できるが、乾燥を終了した後、箪笥などに収納している期間中に、また着用中にダニや雑菌の汚染を受ける。つまり、せっかく衛生的に乾燥できても、その状態を継続的に維持できない一過性の効果である。
【０００７】
また、市販の抗菌処理衣料では、一般的に洗濯などを繰り返すと、徐々に抗菌作用が低下していくという耐久性の問題を有している。抗菌性を長期にわたって発揮するためには、初期に薬剤を大量に吸着させておかなければならないため、抗菌処理衣料を着用したときに、有益な皮膚常在菌まで殺菌してしまう恐れがある。また、薬剤として天然系植物油をマイクロカプセル化する高度な技術手段がとられ、高価な衣類となっている。これらの結果、抗菌衣料としては、病院内のＭＲＳＡを対象とした院内衣料やアトピー性皮膚炎を対象とした天然系の抗菌剤で抗菌性を付与したパジャマなどの限られた衣料しか提供されていないという問題がある。
【０００８】
さらに、小児アトピー性皮膚炎などを対象とした天然系の抗菌剤で抗菌処理した衣類では、成長の早い小児の成長に合わせて抗菌処理衣類を新しく購入する必要がある。抗菌剤をスプレーなどによって直接振りかけて抗菌作用を発揮する方法も考えられるが、安全性と効果の点から適量を付着させなければならないが、衣類に必要量だけ均一に抗菌剤を付着させることはきわめて困難である。また、抗菌剤を吸い込んだり、他のものに抗菌剤を付着してしまったりする危険性もある。
【０００９】
また、高齢化社会を迎えようとしている今日、老人の弱い肌（乾燥肌）や寝たきり老人の増加、そして老人ホームなどを背景として、快適で衛生的な衣生活をするために、抗菌防臭処理した寝装、寝具は期待されるところである。
【００１０】
本発明は上記の課題を解決するもので、洗濯した衣類を乾燥した後、効率よく抗菌処理をできるようにすることを目的としている。
【００１１】
【課題を解決するための手段】
本発明は上記目的を達成するために、衣類を攪拌する回転ドラムと、前記回転ドラム内へ温風を送る送風手段と、前記回転ドラム内への送風経路に設けた第１の加熱手段と、前記回転ドラムまたは送風手段を回転駆動するモータと、前記回転ドラム内に少なくとも抗菌性、抗黴性、防臭性、防虫性のいずれか１種の性状を有する薬剤を気化供給する薬剤供給手段と、前記薬剤供給手段を加熱する第２の加熱手段と、前記薬剤を気化供給する運転を設定可能な入力設定手段と、前記モータ、第１の加熱手段、第２の加熱手段の動作を制御する制御手段とを備え、前記制御手段は、前記入力設定手段により、乾燥のみ、薬剤気化のみ、乾燥＋薬剤気化のいづれかの運転を行うようにし、前記乾燥＋薬剤気化運転の乾燥行程中の前記第１の加熱手段の加熱量を前記乾燥のみの乾燥行程の場合よりも低く制御するようにしたことを第１の課題解決手段としている。
【００１２】
また、衣類を攪拌する回転ドラムと、前記回転ドラム内へ温風を送る送風手段と、前記回転ドラム内への送風経路に設けた第１の加熱手段と、前記回転ドラムまたは送風手段を回転駆動するモータと、前記回転ドラム内に少なくとも抗菌性、抗黴性、防臭性、防虫性のいずれか１種の性状を有する薬剤を気化供給する薬剤供給手段と、前記薬剤供給手段を加熱する第２の加熱手段と、前記薬剤を気化供給する運転を設定可能な入力設定手段と、回転ドラム内の温度を検知する温度検知手段と、前記モータ、第１の加熱手段、第２の加熱手段の動作を制御する制御手段とを備え、前記制御手段は、前記入力設定手段により、乾燥のみ、薬剤気化のみ、乾燥＋薬剤気化のいづれかの運転を行うようにし、前記温度検知手段より入力した温度が設定温度以上になると前記第１の加熱手段の加熱量を減少させるように制御し、前記乾燥＋薬剤気化運転の乾燥行程中の前記設定温度を前記乾燥のみの乾燥行程の場合よりも低くするようにしたことを第２の課題解決手段としている。
【００１３】
また、衣類を攪拌する回転ドラムと、前記回転ドラム内へ温風を送る送風手段と、前記回転ドラム内への送風経路に設けた第１の加熱手段と、前記回転ドラムまたは送風手段を回転駆動するモータと、前記回転ドラム内に少なくとも抗菌性、抗黴性、防臭性、防虫性のいずれか１種の性状を有する薬剤を気化供給する薬剤供給手段と、前記薬剤供給手段を加熱する第２の加熱手段と、前記薬剤を気化供給する運転を設定可能な入力設定手段と、回転ドラムの回転数または回転周期を検知する回転検知手段と、前記モータ、第１の加熱手段、第２の加熱手段の動作を制御する制御手段とを備え、前記制御手段は、前記入力設定手段により、乾燥のみ、薬剤気化のみ、乾燥＋薬剤気化のいづれかの運転を行うようにし、前記回転検知手段より回転数または回転周期データを入力し、前記乾燥＋薬剤気化運転の乾燥行程中の前記回転ドラムの回転数または回転周期を前記乾燥のみの乾燥行程の場合よりも低く制御するようにしたことを第３の課題解決手段としている。
【００１４】
【作用】
本発明は上記した第１の課題解決手段により、通常の衣類乾燥コースを設定するためとは別の入力設定手段により、乾いた衣類を抗菌処理するための単独運転、衣類を乾燥するための単独運転、および衣類を乾燥した後つづけて抗菌処理する連続運転を順番に選択できるので、使い勝手を向上できるとともに、衣類を乾燥した後つづけて抗菌処理する連続運転時の乾燥中に、衣類を乾燥するための単独運転時よりも第１の加熱手段の加熱量を低く制御するので、乾燥運転中の回転ドラム内の温度を低くすることができ、揮発する薬剤の量を少なくすることができる。そして回転ドラムの回転によって生じる回転ドラム内から回転ドラム外への薬剤の洩れを減少できる。
【００１５】
また、第２の課題解決手段により、通常の衣類乾燥コースを設定するためとは別の入力設定手段により、乾いた衣類を抗菌処理するための単独運転、衣類を乾燥するための単独運転、および衣類を乾燥した後つづけて抗菌処理する連続運転を順番に選択できるので、使い勝手を向上できるとともに、衣類を乾燥した後つづけて抗菌処理する連続運転時の乾燥中に、温度検知手段で検知された温度が温調温度（設定温度）以上になると第１の加熱手段の加熱量を減少させ、衣類を乾燥するための単独運転時よりも温調温度を低くするので、乾燥運転中の回転ドラム内の温度を低くすることができ、揮発する薬剤の量を少なくすることができる。そして回転ドラムの回転によって生じる回転ドラム内から回転ドラム外への薬剤の洩れを減少できる。
【００１６】
また、第３の課題解決手段により、通常の衣類乾燥コースを設定するためとは別の入力設定手段により、乾いた衣類を抗菌処理するための単独運転、衣類を乾燥するための単独運転、および衣類を乾燥した後つづけて抗菌処理する連続運転を順番に選択できるので、使い勝手を向上できるとともに、衣類を乾燥した後つづけて抗菌処理する連続運転時の乾燥中に、衣類を乾燥するための単独運転時よりも回転ドラムの回転数を低く設定するので、回転ドラムの回転によって生じる回転ドラム内から回転ドラム外への空気の洩れが減少でき、乾燥運転中に回転ドラム内が温まることにより揮発拡散し回転ドラム外へ洩れる薬剤の量を少なくすることができる。
【００１７】
【実施例】
以下、本発明の第１の実施例を図１から図４を参照しながら説明する。
【００１８】
図２に示すように、回転ドラム１は、乾燥機本体２内の後面で回転自在に軸支され、前面で円環状のドラム前支持板３の外周フランジ部で摺動支持され、モータ４とドラムベルト５によって回転駆動される。蓋体６は、乾燥機本体２の前面に設けた衣類投入口を開閉自在に覆っている。乾燥用ヒータ（第１の加熱手段）７は、回転ドラム１内に流入する乾燥用空気を加熱する。
【００１９】
熱交換型ファン（送風手段）８は、回転ドラム１の後部に回転自在に配設され、モータ４とファンベルト９によって回転駆動され、この熱交換型ファン８は乾燥機本体２内における加熱循環空気の送風機能を有し、かつ乾燥機本体２内外の熱交換機能を有している。ファンケーシング１０は、熱交換型ファン８の表裏両面から排出される空気の流れの循環経路と冷却経路を形成している。
【００２０】
フィルター１１は回転ドラム１の後面に設け、糸屑などを除去する。乾燥機本体２の後面は裏板１２で覆っている。循環ダクト１３は、ファンケーシング１０の循環側排気を乾燥用ヒータ７に導く通風路を構成し、この循環ダクト１３の一部に排水口１４を形成し、熱交換型ファン８の熱交換作用によって生じた凝縮水排出するようにしている。
【００２１】
担持体１５は、薬剤供給手段を構成するもので、パルプ材、発泡合成樹脂、金属焼結体などの多孔質体に、ヒノキチオール、ハッカ油、塩化ベンザルコニウムなどの抗菌、抗黴、防臭、防虫の少なくともいずれか１種の性状を有する薬剤を適量担持したものである。
【００２２】
気化用ヒータ（第２の加熱手段）１６は、この担持体１５を加熱して担持された薬剤を気化するもので、図３に示すように、この気化用ヒータ１６の前後をヒータ支持部材１７と気化用ヒータ１６の端子１６ａを覆うように設けたヒータカバー１８とで狭持している。蓋内面部材１９は、衣類投入口を開閉する蓋体６の内面を構成するもので、略中央部に回転ドラム１側に膨出し担持体１５を装着するためのベース部２０を一体に設けている。担持体１５は気化用ヒータ１６の加熱面１６ｂと、ベース部２０の一部からなり、複数の貫通孔２０ａを備えたカバー部２０ｂとの隙間で狭持されている。
【００２３】
つぎに、図１に示すように、第１のサーミスタ（温度検知手段）２１は熱交換型ファン８の入口に配設され、回転ドラム１内の温度を検知するようにし、第２のサーミスタ２２は乾燥用ヒータ７の入口に配設され、熱交換型ファン８で熱交換された乾燥用空気の温度を検知するようにしている。第１のサーミスタ２１および第２のサーミスタ２２で検知されたそれぞれの温度を乾燥検知手段２３に入力し、回転ドラム１内の衣類の乾燥度合いを検知する。一例として、第１のサーミスタ２１の温度ＴＨ１と第２のサーミスタ２２の温度ＴＨ２の温度差Ｔｓの一定時間ごとの変化量を検知する方法がある。
【００２４】
入力設定手段２４は運転コースなどを設定でき、乾燥運転の各コースや抗菌コート運転などが設定できるようにしている。表示手段２５は発光ダイオード（以下、ＬＥＤという）などで構成され、入力設定手段２４で設定された運転コースなどを表示して使用者に知らせる。
【００２５】
また、回転ドラム１に取り付けた磁石２６と本体部に固定された磁気センサ２７により、回転ドラム１の回転数に応じたパルス信号が発生し、回転検知手段２８はそのパルス信号を入力し、そのパルスの周期より回転ドラム１の回転数を検知する。
【００２６】
制御手段２９は、回転検知手段２８より回転ドラム１の回転数を入力して、モータ駆動手段３０によりモータ４の動作を制御して回転ドラム１や熱交換型ファン８の回転数を制御する。この制御方法はモータ駆動手段３０を位相制御することなどにより簡単に実現できる。また制御手段２９は、入力設定手段２４からの設定に基づき、それらの設定内容を表示手段２５で表示するとともに、乾燥運転や抗菌コート運転の動作を制御する。
【００２７】
これは、乾燥検知手段２３より衣類の乾燥度合いを入力して、ヒータ駆動手段３１により乾燥用ヒータ７の動作を制御し、また、モータ駆動手段３０によりモータ４の動作を制御して乾燥運転を制御する。さらに、気化用ヒータ駆動手段３２により気化用ヒータ１６を制御して回転ドラム１内への薬剤の供給を制御するようにしている。
【００２８】
回転検知手段２８、乾燥検知手段２３および制御手段２９はワンチップマイクロコンピュータ３３などで容易に構成でき、また、３４は電源スイッチ、３５は商用電源である。
【００２９】
図４は本発明の一実施例の操作表示部を示すもので、抗菌コートスイッチ（入力設定手段）２４ａは衣類を抗菌処理するための運転を設定するスイッチであり、コーススイッチ２４ｃは通常の乾燥運転を設定するためのスイッチで、標準コースなどの６コースの中から１つを選択できる。ヒータふんわりスイッチ２４ｂはヒータの強弱などを設定し、スタート一時停止スイッチ２４ｄは運転開始または停止するためのスイッチである。また表示手段２５は、２５ａから２５ｊの１０個のＬＥＤ等の表示装置からなり、前述の各スイッチで設定された内容に基づいて対応するＬＥＤが点灯するようにしている。
【００３０】
上記構成において図５および図６を参照しながら動作を説明する。
【００３１】
図５は、初期状態から抗菌コートスイッチ２４ａが押されたときの設定の変化を示している。（ａ）は初期状態で、衣類を乾燥するための標準コースが設定され、ヒータの強弱は強が設定されている。そこで抗菌コートスイッチ２４ａが１回押されたときに（ｂ）の状態になり、衣類を乾燥するための標準コースと抗菌コートの連続運転が設定される。さらに、抗菌コートスイッチ２４ａが１回押されると（ｃ）の状態になり、衣類乾燥運転は行わず抗菌コート運転のみが設定される。そして、抗菌コートスイッチ２４ａがもう１回押されると（ｄ）の状態になり、初期状態に戻る。
【００３２】
上記のように、抗菌コートスイッチ２４ａにより、衣類を乾燥するための単独運転、衣類を乾燥した後つづけて抗菌処理する連続運転、および乾いた衣類を抗菌処理するための単独運転を順番に選択できるので、使い勝手を向上できる。
【００３３】
図６は、初期状態からコーススイッチ２４ｃが押されたときの設定の変化を示している。（ａ）は初期状態で、衣類を乾燥するための標準コースと抗菌コートの連続運転が設定されている。その状態からコーススイッチ２４ｃが押されるたびに（ｂ）、（ｃ）、（ｄ）、（ｅ）、（ｆ）と状態が変わるが、衣類を乾燥するための運転コースの設定が変わるだけで、抗菌コートとの連続運転の設定に変わりはない。なお、斜線は点灯しているＬＥＤを示している。
【００３４】
つぎに、本発明の第２の実施例について説明する。
【００３５】
図１における制御手段２９は、乾燥＋薬剤気化運転時に、乾燥行程の後の回転ドラム１の連続または間欠的な運転行程より、気化用ヒータ１６により担持体１５を加熱するようにしている。他の構成は上記第１の実施例と同じである。
【００３６】
上記構成において図７を参照しながら動作を説明する。図７において、（ａ）はモータ４、（ｂ）は乾燥用ヒータ７、（ｃ）は気化用ヒータ１６のオンオフの状態であり、（ｄ）は回転ドラム１内温度、すなわち第１のサーミスタ２１で検知された温度を示している。時刻ｔ１０で乾燥運転を開始し、モータ４および乾燥用ヒータ７をオンして時刻ｔ１１までが予熱乾燥期間、時刻ｔ１１から時刻ｔ１２までが恒率乾燥期間であり、さらに時刻ｔ１２から時刻ｔ１３までが減率乾燥期間で、時刻ｔ１３で乾燥用ヒータ７をオフして乾燥行程を終了する。
【００３７】
つづけて気化用ヒータ１６をオンして、送風行程および薬剤供給行程に入る。時刻ｔ１４で、一旦モータ４をオフして送風行程を終了し、以後薬剤供給行程を終了する時刻ｔ１５までモータ４を間欠的にオンする。
【００３８】
つぎに、本発明の第３の実施例について説明する。
【００３９】
図１における制御手段２９は、乾燥検知手段２３より乾燥度合いデータを入力し、乾燥＋薬剤気化運転時に、乾燥検知手段２３で減率乾燥状態が検知されてから気化用ヒータ１６により担持体１５を加熱するようにしている。他の構成は上記第１の実施例と同じである。
【００４０】
上記構成において図８を参照しながら動作を説明すると、時刻ｔ２０で乾燥運転を開始し、時刻ｔ２２までの動作は上記第２の実施例と同じである。時刻ｔ２２で乾燥行程での減率乾燥期間に入るとともに、気化用ヒータ１６をオンして薬剤供給を開始する。そして、時刻ｔ２３で乾燥行程を終了して送風行程とし、時刻ｔ２４で送風行程と薬剤供給行程を同時に終了する。
【００４１】
つぎに、本発明の第４の実施例について説明する。
【００４２】
図１における制御手段２９は、乾燥＋薬剤気化運転の乾燥行程中の乾燥用ヒータ７の加熱量を乾燥のみの乾燥行程の場合よりも低く制御するようにしている。他の構成は上記第１の実施例と同じである。
【００４３】
上記構成において図９を参照しながら動作を説明すると、時刻ｔ３０で乾燥運転を開始し、時刻ｔ３１までの乾燥行程において、２つに分割された乾燥用ヒータ７ａ、７ｂを周期的に２個オンの状態と１個オンの状態を繰り返すようにする。このようにして乾燥行程中の乾燥用ヒータ７の加熱量を乾燥のみの運転の場合よりも低くする。なお、１個オンの状態では、乾燥用ヒータ７ａまたは７ｂを交互にオンするようにすれば、それを駆動するリレー３１ａまたは３１ｂの１個当たりの開閉回数が減り、耐久寿命を延ばすことができる。
【００４４】
つぎに、本発明の第５の実施例について説明する。
【００４５】
図１における制御手段２９は、第１のサーミスタ２１より入力した温度が温調温度（設定温度）以上になると乾燥用ヒータ７の加熱量を減少させるように制御し、乾燥＋薬剤気化運転の乾燥行程中の温調温度を乾燥のみの乾燥行程の場合よりも低くするようにしている。他の構成は上記第１の実施例と同じである。
【００４６】
上記構成において図１０を参照しながら動作を説明すると、時刻ｔ４０で乾燥運転を開始し、時刻ｔ４２までの乾燥行程において、乾燥のみの運転の場合の温調温度Ｔｘよりも低い温度Ｔｙ１を温調温度として、第１のサーミスタ２１で検知された温度がＴｙ１以上になると乾燥用ヒータ７をオフし、またＴｙ２以下になると乾燥用ヒータ７をオンするようにすることにより、乾燥のみの運転の場合よりも回転ドラム１内の温度を低く制御することができる。
【００４７】
つぎに、本発明の第６の実施例について説明する。
【００４８】
図１における制御手段２９は、回転検知手段２８より回転数または回転周期データを入力し、乾燥＋薬剤気化運転の乾燥行程中の回転ドラム１の回転数または回転周期を乾燥のみの乾燥行程の場合よりも低く制御するようにしている。他の構成は上記第１の実施例と同じである。
【００４９】
上記構成において図１１を参照しながら動作を説明すると、時刻ｔ５０で乾燥運転を開始し、抗菌コート運転を終了する時刻ｔ５５まで、回転検知手段２８より回転ドラム１の回転数を入力して、モータ駆動手段３０を位相制御することなどにより、回転ドラム１の回転数を乾燥のみの運転の場合の設定回転数Ｒｘよりも低いＲｙに制御する。そして、回転ドラム１の回転によって生じる回転ドラム１内から回転ドラム１外への空気の洩れを少なくできる。
【００５０】
【発明の効果】
以上のように本発明は、衣類を攪拌する回転ドラムと、前記回転ドラム内へ温風を送る送風手段と、前記回転ドラム内への送風経路に設けた第１の加熱手段と、前記回転ドラムまたは送風手段を回転駆動するモータと、前記回転ドラム内に少なくとも抗菌性、抗黴性、防臭性、防虫性のいずれか１種の性状を有する薬剤を気化供給する薬剤供給手段と、前記薬剤供給手段を加熱する第２の加熱手段と、前記薬剤を気化供給する運転を設定可能な入力設定手段と、前記モータ、第１の加熱手段、第２の加熱手段の動作を制御する制御手段とを備え、前記制御手段は、前記入力設定手段により、乾燥のみ、薬剤気化のみ、乾燥＋薬剤気化のいづれかの運転を行うようにし、前記乾燥＋薬剤気化運転の乾燥行程中の前記第１の加熱手段の加熱量を前記乾燥のみの乾燥行程の場合よりも低く制御するようにしたことにより、通常の衣類乾燥コースを設定するためとは別の入力設定手段により、乾いた衣類を抗菌処理するための単独運転、衣類を乾燥するための単独運転および衣類を乾燥した後つづけて抗菌処理する連続運転を順番に選択できるので、使い勝手を向上できるとともに、衣類を乾燥した後つづけて抗菌処理する連続運転時の乾燥中に、衣類を乾燥するための単独運転時よりも第１の加熱手段の加熱量を低く制御するので、乾燥運転中の回転ドラム内の温度を低くすることができ、揮発する薬剤の量を少なくすることができる。そして回転ドラムの回転によって生じる回転ドラム内から回転ドラム外への薬剤の洩れを減少できる。
【００５１】
また、衣類を攪拌する回転ドラムと、前記回転ドラム内へ温風を送る送風手段と、前記回転ドラム内への送風経路に設けた第１の加熱手段と、前記回転ドラムまたは送風手段を回転駆動するモータと、前記回転ドラム内に少なくとも抗菌性、抗黴性、防臭性、防虫性のいずれか１種の性状を有する薬剤を気化供給する薬剤供給手段と、前記薬剤供給手段を加熱する第２の加熱手段と、前記薬剤を気化供給する運転を設定可能な入力設定手段と、回転ドラム内の温度を検知する温度検知手段と、前記モータ、第１の加熱手段、第２の加熱手段の動作を制御する制御手段とを備え、前記制御手段は、前記入力設定手段により、乾燥のみ、薬剤気化のみ、乾燥＋薬剤気化のいづれかの運転を行うようにし、前記温度検知手段より入力した温度が設定温度以上になると前記第１の加熱手段の加熱量を減少させるように制御し、前記乾燥＋薬剤気化運転の乾燥行程中の前記設定温度を前記乾燥のみの乾燥行程の場合よりも低くするようにしたことにより、通常の衣類乾燥コースを設定するためとは別の入力設定手段により、乾いた衣類を抗菌処理するための単独運転、衣類を乾燥するための単独運転および衣類を乾燥した後つづけて抗菌処理する連続運転を順番に選択できるので、使い勝手を向上できるとともに、衣類を乾燥した後つづけて抗菌処理する連続運転時の乾燥中に、温度検知手段で検知された温度が温調温度以上になると第１の加熱手段の加熱量を減少させ、衣類を乾燥するための単独運転時よりも温調温度を低くするので、乾燥運転中の回転ドラム内の温度を低くすることができ、揮発する薬剤の量を少なくすることができる。そして回転ドラムの回転によって生じる回転ドラム内から回転ドラム外への薬剤の洩れを減少できる。
【００５２】
また、衣類を攪拌する回転ドラムと、前記回転ドラム内へ温風を送る送風手段と、前記回転ドラム内への送風経路に設けた第１の加熱手段と、前記回転ドラムまたは送風手段を回転駆動するモータと、前記回転ドラム内に少なくとも抗菌性、抗黴性、防臭性、防虫性のいずれか１種の性状を有する薬剤を気化供給する薬剤供給手段と、前記薬剤供給手段を加熱する第２の加熱手段と、前記薬剤を気化供給する運転を設定可能な入力設定手段と、回転ドラムの回転数または回転周期を検知する回転検知手段と、前記モータ、第１の加熱手段、第２の加熱手段の動作を制御する制御手段とを備え、前記制御手段は、前記入力設定手段により、乾燥のみ、薬剤気化のみ、乾燥＋薬剤気化のいづれかの運転を行うようにし、前記回転検知手段より回転数または回転周期データを入力し、前記乾燥＋薬剤気化運転の乾燥行程中の前記回転ドラムの回転数または回転周期を前記乾燥のみの乾燥行程の場合よりも低く制御するようにしたことにより、通常の衣類乾燥コースを設定するためとは別の入力設定手段により、乾いた衣類を抗菌処理するための単独運転、衣類を乾燥するための単独運転および衣類を乾燥した後つづけて抗菌処理する連続運転を順番に選択できるので、使い勝手を向上できるとともに、衣類を乾燥した後つづけて抗菌処理する連続運転時の乾燥中に、衣類を乾燥するための単独運転時よりも回転ドラムの回転数を低く設定するので、回転ドラムの回転によって生じる回転ドラム内から回転ドラム外への空気の洩れが減少でき、乾燥運転中に回転ドラム内が温まることにより揮発拡散し回転ドラム外へ洩れる薬剤の量を少なくすることができる。
【図面の簡単な説明】
【図１】  本発明の第１の実施例の衣類乾燥機のブロック図
【図２】  同衣類乾燥機の断面図
【図３】  同衣類乾燥機の一部切欠した要部拡大断面図
【図４】  同衣類乾燥機の操作表示部の拡大正面図
【図５】  同衣類乾燥機の操作表示部の抗菌コートスイッチを押したときの動作説明図
【図６】  同衣類乾燥機の操作表示部のコーススイッチを押したときの動作説明図
【図７】  本発明の第２の実施例の衣類乾燥機の動作タイミングチャート
【図８】  本発明の第３の実施例の衣類乾燥機の動作タイミングチャート
【図９】  本発明の第４の実施例の衣類乾燥機の動作タイミングチャート
【図１０】  本発明の第５の実施例の衣類乾燥機の動作タイミングチャート
【図１１】  本発明の第６の実施例の衣類乾燥機の動作タイミングチャート
【符号の説明】
１  回転ドラム
４  モータ
７  乾燥用ヒータ（第１の加熱手段）
８  熱交換型ファン（送風手段）
１５  担持体（薬剤供給手段）
１６  気化用ヒータ（第２の加熱手段）
２４  入力設定手段
２９  制御手段
【図１】
0003713756.tif 000002
【図２】
0003713756.tif 000003
【図３】
0003713756.tif 000004
【図４】
0003713756.tif 000005
【図５】
0003713756.tif 000006
【図６】
0003713756.tif 000007
【図７】
0003713756.tif 000008
【図８】
0003713756.tif 000009
【図９】
0003713756.tif 000010
【図１０】
0003713756.tif 000011
【図１１】
0003713756.tif 000012